(57)【要約】【課題】照明器具に異常が発生している状態なのか照明器具の電源が落とされた状態なのかを判別できる照明コントローラを得ること。【解決手段】照明コントローラ３は、複数の照明器具２に状態確認を行う状態確認部３３と、状態確認部３３からの状態確認データを無線通信で照明器具２へ送信する無線通信部３１と、状態確認に対する複数の照明器具２から無線通信で送信される状態応答データに基づき、照明器具２に異常が発生している状態であるか照明器具２の電源が落とされた状態であるかを判別する状態判別部３４と、状態判別部３４の判別結果が、照明器具２に異常が発生している状態であるとき、異常内容を表示部へ通知する通知部３６とを備える。【選択図】図２
2018163766.tif 000002
【特許請求の範囲】
【請求項１】
照明器具へ電力を供給し又は前記照明器具への電力の供給を遮断する複数のスイッチを識別するスイッチ情報と、前記スイッチに接続される複数の前記照明器具の識別子情報とを対応付けたスイッチ対応テーブルと、
複数の照明器具の状態確認を行う状態確認データを出力する状態確認部と、
前記状態確認データを無線通信で照明器具へ送信する無線通信部と、
前記状態確認データに対して複数の前記照明器具から無線通信で送信される状態応答データを用いて、前記照明器具の電源が落とされた状態であるか前記照明器具に異常が発生している状態であるかを判別する状態判別部と、
前記状態判別部の判別結果が、前記照明器具に異常が発生している状態であるとき、異常内容を表示部へ通知する通知部と
を備え、
前記状態判別部は、
全ての前記照明器具から前記状態応答データを受信できない場合、前記照明器具の電源が落とされた状態と判別し、
受信した全ての前記状態応答データが、前記スイッチ対応テーブルに設定された前記スイッチ情報に対応する複数の前記照明器具の識別子情報の一部と一致した場合、前記照明器具に異常が発生している状態と判別する照明コントローラ。
【請求項２】
前記状態判別部は、過去に得られた照明器具が同時に応答無しとなるパターンに基づき、前記スイッチ対応テーブルに設定される情報を生成する請求項１に記載の照明コントローラ。
【発明の詳細な説明】
【技術分野】
【０００１】
本発明は、複数の照明器具を制御する照明コントローラに関する。
【背景技術】
【０００２】
一般に照明制御システムでは、照明器具において故障又は通信不良といった異常が発生していないかを確認するために、照明コントローラが照明器具へ定期的に状態確認を実施するように構成される。従来の照明制御システムは、照明コントローラと、通信線を介して照明コントローラに接続された複数の照明器具とを備え、照明器具には照明コントローラと通信する通信部が設けられている。このような従来の照明制御システムでは、照明器具の電源が落とされた場合でも通信部に通信線経由で電源が供給されるため、照明コントローラから照明器具への状態確認に対して、照明器具の通信部による照明コントローラへ状態応答が可能である。
【０００３】
特許文献１に開示される照明制御システムでは、照明コントローラである主装置と、無線ネットワークを介して主装置に接続される複数の端末装置と、無線ネットワークを介して主装置に接続される設定器と、通信線を介して複数の端末装置のそれぞれに接続される複数の照明器具とを備える。このように特許文献１に開示される照明制御システムは、複数の照明器具の点灯及び消灯を制御する主装置と複数の照明器具とが無線ネットワークを介して相互に接続されている。
【先行技術文献】
【特許文献】
【０００４】
【特許文献１】特開２００７−７３３９３号公報
【発明の概要】
【発明が解決しようとする課題】
【０００５】
しかしながら特許文献１に開示される照明制御システムでは、電源線を介して照明器具の通信部へ電源を供給することは可能であるが、通信線を介して当該通信部へ電源を供給することはできない。そのため、電源線から電源が供給されなくなった状態の照明器具の通信部は、照明コントローラからの定期的な状態確認に対して状態応答ができなくなる。従って、特許文献１に開示される照明制御システムでは、電源が供給されなくなった状態の照明器具への状態確認を実施しても、照明器具に異常が発生している状態なのか、照明器具の電源が落とされた状態なのかを照明コントローラが判別できないという課題があった。
【０００６】
本発明は、上記に鑑みてなされたものであって、照明器具に異常が発生している状態なのか照明器具の電源が落とされた状態なのかを判別できる照明コントローラを得ることを目的とする。
【課題を解決するための手段】
【０００７】
上述した課題を解決し、目的を達成するために、本発明の照明コントローラは、照明器具へ電力を供給し又は照明器具への電力の供給を遮断する複数のスイッチを識別するスイッチ情報と、スイッチに接続される複数の照明器具の識別子情報とを対応付けたスイッチ対応テーブルと、複数の照明器具の状態確認を行う状態確認データを出力する状態確認部と、状態確認データを無線通信で照明器具へ送信する無線通信部と、状態確認データに対して複数の照明器具から無線通信で送信される状態応答データを用いて、照明器具の電源が落とされた状態であるか照明器具に異常が発生している状態であるかを判別する状態判別部と、状態判別部の判別結果が、照明器具に異常が発生している状態であるとき、異常内容を表示部へ通知する通知部とを備え、状態判別部は、全ての照明器具から状態応答データを受信できない場合、照明器具の電源が落とされた状態と判別し、受信した全ての状態応答データが、スイッチ対応テーブルに設定されたスイッチ情報に対応する複数の照明器具の識別子情報の一部と一致した場合、照明器具に異常が発生している状態と判別する。
【発明の効果】
【０００８】
本発明によれば、照明器具に異常が発生している状態なのか照明器具の電源が落とされた状態なのかを判別できる、という効果を奏する。
【図面の簡単な説明】
【０００９】
【図１】実施の形態に係る照明制御システムの構成例を示す図
【図２】実施の形態に係る照明コントローラの構成図
【図３】図１に示すスイッチ対応テーブルの一例を示す図
【図４】図１に示す照明器具の構成図
【図５】実施の形態に係る照明コントローラと照明器具との間の第１の通信シーケンスを示す図
【図６】実施の形態に係る照明コントローラと照明器具との間の第２の通信シーケンスを示す図
【図７】実施の形態に係る照明コントローラと照明器具との間の第３の通信シーケンスを示す図
【図８】実施の形態に係る照明コントローラの動作を示すフローチャート
【発明を実施するための形態】
【００１０】
以下に、本発明の実施の形態に係る照明コントローラを図面に基づいて詳細に説明する。なお、この実施の形態によりこの発明が限定されるものではない。
【００１１】
実施の形態．
図１は実施の形態に係る照明制御システムの構成例を示す図である。照明制御システム１００は、建物内に設置され交流電源２００に接続される複数のスイッチ１ａ，１ｂと、建物内に設置されスイッチ１ａ，１ｂを介して交流電源２００に接続される複数の照明器具２と、複数の照明器具２のそれぞれと無線通信を行い複数の照明器具２のそれぞれを制御する照明コントローラ３とを備える。複数のスイッチ１ａ，１ｂのそれぞれは、照明器具２へ電力を供給し又は照明器具２への電力の供給を遮断する機能を有する。スイッチ１ａ，１ｂは、照明器具２へ電力を供給し又は照明器具２への電力の供給を遮断する機能を有するものであれば、建物の壁に設置された壁スイッチでもよいし、照明器具２のオンオフを遠隔で制御する集中管理センター内の操作スイッチでもよい。
【００１２】
スイッチ１ａには電源線４ａにより複数の照明器具２が接続され、スイッチ１ｂには電源線４ｂにより複数の照明器具２が接続される。図１において符号５で示す点線は無線通信でデータが伝送される無線区間を表す。図１では説明の便宜上、無線区間５が直線状の点線で示されるが、実際の無線通信では照明コントローラ３及び照明器具２のそれぞれから一定範囲の領域が無線伝送可能な区間となる。
【００１３】
照明コントローラ３は、複数の照明器具２のそれぞれを点灯、消灯又は調光する機能と、複数の照明器具２のそれぞれに異常が発生している状態か、複数の照明器具２のそれぞれの電源が落とされた状態かを判別する機能とを備える。
【００１４】
照明コントローラ３の設置場所は、複数の照明器具２が設置された建物内でもよいし、複数の照明器具２のそれぞれと無線通信が可能な場所であれば、複数の照明器具２が設置された建物とは異なる建物内でもよい。複数の照明器具２と照明コントローラ３とはそれぞれが無線通信機能を有する。無線通信としては、Ｗｉ−Ｆｉ（登録商標）のようなＩＥＥＥ８０２．１１シリーズの無線ＬＡＮ通信と、標準規格化されたＢｌｕｅｔｏｏｔｈ（登録商標）とを例示できる。
【００１５】
図２は実施の形態に係る照明コントローラの構成図である。照明コントローラ３は、複数の照明器具２のそれぞれの点灯、消灯又は調光の設定を行うためのユーザインターフェースである操作部３０と、複数の照明器具２のそれぞれと無線通信を行う無線通信部３１と、操作部３０の操作内容に応じて複数の照明器具２のそれぞれの点灯、消灯又は調光を制御する照明制御部３２と、複数の照明器具２のそれぞれの状態確認を一定周期で実行する状態確認部３３とを備える。
【００１６】
また照明コントローラ３は、複数の照明器具２のそれぞれに異常が発生している状態か複数の照明器具２のそれぞれの電源が落とされた状態かを判別する状態判別部３４と、状態判別部３４による複数の照明器具２のそれぞれの状態判別結果を記憶する状態記憶部３５と、状態記憶部３５に記憶された状態判別結果が照明器具２の異常を示すときに照明器具２が異常状態であることを通知する通知部３６と、スイッチ対応テーブル３７と、表示部３８と、記憶部３９とを備える。
【００１７】
無線通信部３１は、照明制御部３２又は状態確認部３３から出力されたデータを無線通信方式に準拠した無線伝送フレームに設定して照明コントローラ３に向けて送信すると共に、照明器具２から送信された無線伝送フレームに含まれるデータを抽出して状態判別部３４に向けて出力する。
【００１８】
無線伝送フレームには、送信先ＩＤ（ＩＤｅｎｔｉｆｉｅｒ）、送信元ＩＤ、通信内容及び送信時刻が含まれる。
【００１９】
無線通信部３１から照明器具２に向けて送信される無線伝送フレームの送信先ＩＤには、照明器具２の識別子が設定される。本実施の形態では、当該送信先ＩＤに、複数の照明器具２の全てをデータ送信対象とするブロードキャストＩＤが設定される。
【００２０】
無線通信部３１から照明器具２に向けて送信される無線伝送フレームの送信元ＩＤには、照明コントローラ３の識別子が設定される。
【００２１】
無線通信部３１から照明器具２に向けて送信される無線伝送フレームの通信内容には、照明制御部３２から出力される制御データ、又は状態確認部３３から出力される状態確認データが設定される。
【００２２】
制御データは、照明器具２を点灯、消灯又は調光の指令であり、当該指令により照明器具２が制御される。状態確認データは、状態応答データの送信を要求するデータである。状態応答データとしては、照明器具２が点灯状態であることを示す情報、照明器具２が消灯状態であることを示す情報、又は照明器具２が調光状態であることを示す情報とを例示できる。
【００２３】
無線通信部３１から照明器具２に向けて送信される無線伝送フレームの送信時刻には、状態確認データが無線通信部３１から出力された時刻が設定される。
【００２４】
照明器具２から無線通信部３１に向けて送信される無線伝送フレームの送信先ＩＤには、照明コントローラ３の識別子が設定される。
【００２５】
照明器具２から無線通信部３１に向けて送信される無線伝送フレームの送信元ＩＤには、照明器具２の識別子が設定される。
【００２６】
照明器具２から無線通信部３１に向けて送信される無線伝送フレームの通信内容には、照明器具２から送信される状態応答データが設定される。
【００２７】
照明器具２から無線通信部３１に向けて送信される無線伝送フレームの送信時刻には、照明器具２が受信した無線伝送フレームに含まれる送信時刻と同じ時間が設定される。
【００２８】
照明器具２から無線通信部３１に向けて送信される無線伝送フレームを受信した無線通信部３１は、無線伝送フレームに含まれる送信元ＩＤ、状態応答データ及び送信時刻を抽出して、状態判別部３４に出力する。なお当該無線伝送フレームは、複数の照明器具２のそれぞれから照明コントローラ３に向けて送信されるため、照明コントローラ３の無線通信部３１は、複数の照明器具２のそれぞれから送信された無線伝送フレームに含まれる送信元ＩＤ、状態応答データ及び送信時刻を状態判別部３４に出力する。
【００２９】
照明制御部３２は、操作部３０が操作されたとき、操作部３０の操作内容に応じて、照明器具２の点灯、消灯又は調光を制御する制御データを無線通信部３１に出力する。制御データを受信した無線通信部３１は、制御データを無線伝送フレームに設定して照明器具２へ出力する。操作内容は、図１に示すスイッチ１ａに接続される照明器具２群を同時に点灯、消灯又は調光する操作、図１に示すスイッチ１ｂに接続される照明器具２群を同時に点灯、消灯又は調光する操作とを例示できる。なお、図１では、オフされているスイッチ１ａに接続される照明器具２群に関しては、「点灯操作」又は「調光操作」の何れかに対応した動作は実行されないが、オンされているスイッチ１ｂに接続される照明器具２群に関しては、照明器具２に異常が発生していない限り、「点灯操作」、「調光操作」又は「消灯操作」の何れかに対応した動作が実行される。
【００３０】
状態確認部３３は、一定周期で状態確認データを無線通信部３１に出力する。
【００３１】
状態判別部３４は、状態確認部３３から状態確認データが送信された時点から一定時間経過するまでに複数の照明器具２のそれぞれから送信された無線伝送フレームに含まれる送信元ＩＤ、状態応答データ及び送信時刻を用いて、複数の照明器具２のそれぞれに異常が発生している状態か複数の照明器具２のそれぞれの電源が落とされた状態かを判別し、複数の照明器具２のそれぞれの状態判別結果を状態記憶部３５に記憶させる。
【００３２】
通知部３６は、状態記憶部３５に記憶された状態判別結果が照明器具２の異常を示すとき、表示部３８に照明器具２の異常を通知する。表示部３８としてはＬＥＤ（Ｌｉｇｈｔ  Ｅｍｉｔｔｉｎｇ  Ｄｉｏｄｅ）又は液晶表示パネルを例示できる。通知部３６が照明器具２の異常を通知するタイミングとしては、状態記憶部３５に状態判別結果が記憶された時点を例示できる。
【００３３】
表示部３８がＬＥＤの場合、通知部３６は、照明器具２に異常が発生していないときにはＬＥＤを点灯状態にさせ、照明器具２に異常が発生しているときにはＬＥＤを点灯状態から点滅状態に変化させる。表示部３８が液晶表示パネルの場合、通知部３６は、照明器具２に異常が発生しているときには予め記憶部３９に記憶された異常通知メッセージ情報を読み出し、液晶表示パネルに特定のメッセージを表示させる。これによりユーザは何れかの照明器具２に異常が発生していることを知ることができる。液晶表示パネルに表示されるメッセージ内容は、照明器具２に異常が発生していることをユーザに知らせることができればよく、「ＩＤＸＸＸの照明器具２に異常が発生」といった内容を例示できる。
【００３４】
なお、照明器具２に異常が発生していることを通知する方法はこれらに限定されず、照明コントローラ３の外部に設けられた不図示の通信端末に対して通知部３６が異常報知メッセージ情報を送信し、通信端末に異常報知メッセージ情報を表示させるように構成してもよい。
【００３５】
照明制御部３２、状態確認部３３及び状態判別部３４は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、プロセッサ、ＤＳＰ（Ｄｉｇｉｔａｌ  Ｓｉｇｎａｌ  Ｐｒｏｃｅｓｓｏｒ）又はシステムＬＳＩ（Ｌａｒｇｅ  Ｓｃａｌｅ  Ｉｎｔｅｇｒａｔｉｏｎ）により実現される。
【００３６】
状態記憶部３５、スイッチ対応テーブル３７及び記憶部３９は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリー、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、又はＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）といった半導体メモリである。半導体メモリは不揮発性メモリでもよいし揮発性メモリでもよい。
【００３７】
図３は図１に示すスイッチ対応テーブルの一例を示す図である。スイッチ対応テーブル３７には、複数のスイッチを識別するスイッチ情報と、複数の照明器具２の識別子情報とが対応付けられている。図３では一例として２つのスイッチ情報「１ａ」及び「１ｂ」と、スイッチ情報「１ａ」に対応する識別子情報「４７００」、「４７０１」及び「４７０２」と、スイッチ情報「１ｂ」に対応する識別子情報「４７０３」、「４７０４」及び「４７０５」とが示される。スイッチ対応テーブル３７には２つ以上のスイッチ情報を設定してもよいし、３つ以上の識別子情報を設定してもよい。識別子情報「４７００」、「４７０１」及び「４７０２」は、図１に示すスイッチ１ａに接続される３つの照明器具２の識別子の一例であり、識別子情報「４７０３」、「４７０４」及び「４７０５」は、図１に示すスイッチ１ｂに接続される３つの照明器具２の識別子の一例である。
【００３８】
図４は図１に示す照明器具の構成図である。照明器具２は、発光部２１と、電力供給部２２と、電力供給部２２を制御する制御部２３と、無線通信部３１と無線通信を行う無線通信部２４と、照明器具２の識別子情報が記憶される記憶部２５とを備える。
【００３９】
発光部２１としては、蛍光灯、白熱灯又はＬＥＤを例示できる。電力供給部２２は、交流電源２００から供給される交流電圧を発光部２１の駆動可能な電圧へ変換する。また電力供給部２２は、制御部２３及び無線通信部２４の駆動に必要な電力を供給する。
【００４０】
無線通信部２４は、無線通信部３１から送信された無線伝送フレームを受信したとき、当該無線伝送フレームに含まれる制御データ又は状態確認データを抽出して制御部２３に対して出力する。記憶部２５には、複数の照明器具２のそれぞれを識別する識別子情報が記憶されている。
【００４１】
制御データを受信した制御部２３は、制御データの内容、すなわち点灯、消灯又は調光といった制御内容に応じて、電力供給部２２を制御する。
【００４２】
状態確認データを受信した制御部２３は、記憶部２５から照明器具２の識別子情報を読み出し、無線通信部２４へ出力する。そして、無線通信部２４は、制御部２３から照明器具２の識別子情報を受信した無線通信部２４は、無線通信部２４から無線通信部３１に向けて送信する無線伝送フレームに、状態応答データと時刻情報とを設定する。当該状態応答データは、照明器具２の動作を司る制御部２３により生成され、無線通信部２４に出力されるものであり、照明器具２が点灯状態、消灯状態又は調光状態であることを示す情報である。また無線通信部２４が無線伝送フレームに設定する時刻情報は、無線通信部３１から送信された無線伝送フレームに設定された送信時刻と同じ時刻が設定される。
【００４３】
図５は実施の形態に係る照明コントローラと照明器具との間の第１の通信シーケンスを示す図である。図６は実施の形態に係る照明コントローラと照明器具との間の第２の通信シーケンスを示す図である。図７は実施の形態に係る照明コントローラと照明器具との間の第３の通信シーケンスを示す図である。
【００４４】
図５、図６及び図７では、説明の便宜状、３台の照明器具２ａ，２ｂ，２ｃが示される。図５及び図６に示される照明器具２ａ，２ｂ，２ｃは、図１のスイッチ１ｂに接続される３つの照明器具２に相当する。図７に示される照明器具２ａ，２ｂ，２ｃは、図１のスイッチ１ａに接続される３つの照明器具２に相当する。図５、図６及び図７の実線の矢印は無線伝送フレームが送信先に出力された状態を表し、図６及び図７の点線は照明器具２の無線伝送フレームが出力されていない状態を表す。
【００４５】
図５には、照明器具２ａ，２ｂ，２ｃのそれぞれが正常な状態のときの通信シーケンスが示される。図５のＳ１０１において、状態確認データを含む無線伝送フレームが照明コントローラ３から照明器具２ａ，２ｂ，２ｃのそれぞれに送信される。
【００４６】
図５のＳ１０２において、当該無線伝送フレームを受信した照明器具２ａ，２ｂ，２ｃのそれぞれは、照明コントローラ３に対して、状態応答データを含む無線伝送フレームを送信する。
【００４７】
状態応答データを含む無線伝送フレームを受信した照明コントローラ３の状態判別部３４は、スイッチ対応テーブル３７に記録されたスイッチ１ｂに対応する照明器具２ａ，２ｂ，２ｃのそれぞれの識別子情報に、受信した３つの識別子情報を照合する。照合の結果、スイッチ対応テーブル３７に記録された複数の識別子情報と受信した３つの識別子情報とが一致したとき、状態判別部３４は、それぞれの照明器具２ａ，２ｂ，２ｃが正常であることを示す状態判別結果を送信時刻と対応付けて状態記憶部３５へ書き込む。
【００４８】
図６には、照明器具２ａ，２ｂ，２ｃの内、照明器具２ｃに異常が発生しているときの通信シーケンスが示される。異常とは、図４に示す電力供給部２２が故障したことで無線通信部２４の駆動に必要な電力が供給されないため状態応答データを含む無線伝送フレームを送信できない状態と、無線通信部２４自体が故障したことで当該無線伝送フレームを送信できない状態と、制御部２３が故障したことで無線通信部２４に対して状態応答データが出力されず無線伝送フレームに状態応答データが設定されていない状態とを例示できる。
【００４９】
図６のＳ１０１において、状態確認データを含む無線伝送フレームが照明コントローラ３から照明器具２ａ，２ｂ，２ｃのそれぞれに送信される。
【００５０】
図６のＳ１０２において、当該無線伝送フレームを受信した２台の照明器具２ａ，２ｂのそれぞれは、照明コントローラ３に対して、状態応答データを含む無線伝送フレームを送信する。一方、照明器具２ｃには異常が発生しているため、照明器具２ｃは、当該無線伝送フレームを受信することができず、又は当該無線伝送フレームを受信できたときでも状態応答データを含む無線伝送フレームを送信することができない。
【００５１】
照明コントローラ３の状態判別部３４は、スイッチ対応テーブル３７に記録されたスイッチ１ｂに対応する照明器具２ａ，２ｂ，２ｃのそれぞれの識別子情報に、受信した２つの識別子情報を照合する。照合の結果、スイッチ対応テーブル３７に記録されたスイッチ１ｂに対応する照明器具２ａ，２ｂ，２ｃのそれぞれの識別子情報と受信した２つの識別子情報とが一致するため、照明器具２ａ，２ｂが正常であり、かつ、照明器具２ｃに異常が発生していることを示す状態判別結果を、送信時刻と対応付けて状態記憶部３５へ書き込む。
【００５２】
図７には、照明器具２ａ，２ｂ，２ｃのそれぞれが正常な状態であるが電源が落とされた状態、又は照明器具２ａ，２ｂ，２ｃの全てに異常が発生している状態のときの通信シーケンスが示される。
【００５３】
図７のＳ１０１において、状態確認データを含む無線伝送フレームが照明コントローラ３から出力される。しかしながら、照明器具２ａ，２ｂ，２ｃのそれぞれは、電源が落とされ又は異常であるため、当該無線伝送フレームを受信することができず、また状態応答データを含む無線伝送フレームを送信することもできない。
【００５４】
照明コントローラ３の状態判別部３４は、状態確認部３３から状態確認データが送信された時点から一定時間経過するまでに、照明器具２ａ，２ｂ，２ｃから送信元ＩＤ、状態応答データ及び送信時刻を受信しなかったとき、照明器具２ａ，２ｂ，２ｃのそれぞれは電源が落とされた状態であることを示す状態判別結果を送信時刻と対応付けて状態記憶部３５へ書き込む。
【００５５】
図８は実施の形態に係る照明コントローラの動作を示すフローチャートである。ステップＳ１において照明コントローラ３は状態確認データを送信する。
【００５６】
ステップＳ２において、全ての照明器具２から状態応答データを受信できない場合（ステップＳ２：Ｙｅｓ）、照明コントローラ３は、電源が落とされた状態と判別する（ステップＳ３）。
【００５７】
ステップＳ２において、少なくとも一部の照明器具２から状態応答データを受信できる場合（ステップＳ２：Ｎｏ）、照明コントローラ３は、ステップＳ４に進む。
【００５８】
ステップＳ４において、受信した全ての識別子情報がスイッチ対応テーブル３７の識別子情報と一致した場合（ステップＳ４：Ｙｅｓ）、照明コントローラ３は全ての照明器具２が正常状態と判別する（ステップＳ５）。
【００５９】
ステップＳ４において、受信した何れかの識別子情報がスイッチ対応テーブル３７の識別子情報と一致しない場合（ステップＳ４：Ｎｏ）、すなわち受信した全ての状態応答データが、スイッチ対応テーブル３７に設定されたスイッチ情報に対応する複数の照明器具２の識別子情報の一部と一致した場合、照明コントローラ３は照明器具２の異常状態と判別し（ステップＳ６）、異常状態を通知する（ステップＳ７）。「ステップＳ４：Ｎｏ」の例としては、図６に示すように、照明器具２ａ，２ｂからの状態応答データが、スイッチ対応テーブル３７に設定されたスイッチ情報「１ｂ」に対応する照明器具２の識別子情報「４７０３」、「４７０４」及び「４７０５」の内、識別子情報「４７０３」及び「４７０４」と一致する場合を例示できる。
【００６０】
以上に説明したように本実施の形態に係る照明コントローラ３によれば、照明器具２に異常が発生したのか照明器具２の電源が落とされたのかを判別でき、判別結果が照明器具２に異常が発生している状態であるときには異常内容をユーザへ通知できる。従って、照明器具２の設置業者及び照明器具２のユーザは照明器具２が異常状態であるか電源が落とされた状態であるかを即座に判別でき、照明器具２の修理及び交換作業を早期に実施することができる。
【００６１】
また本実施の形態に係る照明コントローラ３の状態判別部３４は、状態応答データを受信しないパターンに基づき、スイッチ対応テーブル３７に設定される情報を生成する。この構成により、照明器具２の設置業者及び照明器具２のユーザによるスイッチ対応テーブル３７への情報の入力作業が不要となる。
【００６２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６３】
１ａ，１ｂ  スイッチ、２，２ａ，２ｂ，２ｃ  照明器具、３  照明コントローラ、４ａ，４ｂ  電源線、５  無線区間、２１  発光部、２２  電力供給部、２３  制御部、２４  無線通信部、２５，３９  記憶部、３０  操作部、３１  無線通信部、３２  照明制御部、３３  状態確認部、３４  状態判別部、３５  状態記憶部、３６  通知部、３７  スイッチ対応テーブル、３８  表示部、１００  照明制御システム、２００  交流電源。
【図１】
2018163766.tif 000003
【図２】
2018163766.tif 000004
【図３】
2018163766.tif 000005
【図４】
2018163766.tif 000006
【図５】
2018163766.tif 000007
【図６】
2018163766.tif 000008
【図７】
2018163766.tif 000009
【図８】
2018163766.tif 000010